(57)【要約】【課題】セットトップボックスのテレビ着信時における十分なユーザーフリーを達成することである。【解決手段】電話の着信および通話終了を検出してセットトップボックスＣが情報再生装置Ａの動作を制御するシステムであって、前記セットトップボックスＣは、電話の着信を検出する着信検出手段６と、前記情報再生装置のオン・オフを判断するオン・オフ判断手段３，５と、該セットトップボックスと前記情報再生装置との間の接続を判断する接続判断手段９と、前記情報再生装置の再生音量をダウンさせる音量ダウン制御手段１１と、電話の着信を報知する報知手段７と、通話終了を検出する通話終了検出手段８と、前記情報再生装置の再生音量をアップさせる音量アップ制御手段１２とを具備する。【選択図】図１
2008098964.tif 000002
【特許請求の範囲】
【請求項１】
電話の着信および通話終了を検出してセットトップボックスが情報再生装置の動作を制御する方法であって、
前記セットトップボックスが電話の着信を検出する着信検出ステップと、
前記セットトップボックスが前記情報再生装置のオン・オフを判断するオン・オフ判断ステップと、
前記セットトップボックスが該セットトップボックスと前記情報再生装置との間の接続を判断する接続判断ステップと、
前記ステップの後、着信が検出され、かつ、前記情報再生装置がオンであって、前記セットトップボックスと前記情報再生装置との間が接続されていると判断された場合、前記セットトップボックスが前記情報再生装置の再生音量をダウンさせる音量ダウン制御ステップと、
前記音量ダウン制御ステップの後、前記セットトップボックスが電話の着信を報知する報知ステップと、
前記報知ステップの後、前記セットトップボックスが通話終了を検出する通話終了検出ステップと、
前記通話終了検出ステップによって通話終了が検出された場合、前記セットトップボックスが前記情報再生装置の再生音量をアップさせる音量アップ制御ステップ
とを具備することを特徴とする情報再生装置の動作制御方法。
【請求項２】
着信が検出され、かつ、情報再生装置がオンであって、セットトップボックスと前記情報再生装置との間が接続されていないと判断された場合、前記セットトップボックスが該セットトップボックスと前記情報再生装置との間を接続状態に切り替えるライン切替ステップと、
前記ライン切替ステップの後、前記セットトップボックスが電話の着信を報知する報知ステップと、
前記報知ステップの後、前記セットトップボックスが通話終了を検出する通話終了検出ステップ
とを更に具備することを特徴とする請求項１の情報再生装置の動作制御方法。
【請求項３】
着信検出ステップによって着信が検出され、かつ、オン・オフ判断ステップにおいて情報再生装置がオフであると判断された場合、セットトップボックスが情報再生装置をオンにするオン制御ステップと、
前記オン制御ステップの後、前記セットトップボックスが該セットトップボックスと前記情報再生装置との間の接続を判断する接続判断ステップと、
前記接続判断ステップにおいて、前記セットトップボックスと前記情報再生装置との間が接続されていると判断された場合、前記セットトップボックスが前記情報再生装置の再生音量をダウンさせる音量ダウン制御ステップと、
前記音量ダウン制御ステップの後、前記セットトップボックスが電話の着信を報知する報知ステップと、
前記報知ステップの後、前記セットトップボックスが通話終了を検出する通話終了検出ステップと、
前記通話終了検出ステップによって通話終了が検出された場合、前記セットトップボックスが前記情報再生装置をオフにするオフ制御ステップ
とを更に具備することを特徴とする請求項１又は請求項２の情報再生装置の動作制御方法。
【請求項４】
着信検出ステップによって着信が検出され、かつ、オン・オフ判断ステップにおいて情報再生装置がオフであると判断された場合、セットトップボックスが情報再生装置をオンにするオン制御ステップと、
前記オン制御ステップの後、前記セットトップボックスが該セットトップボックスと前記情報再生装置との間の接続を判断する接続判断ステップと、
前記接続判断ステップにおいて、前記セットトップボックスと前記情報再生装置との間が接続されていないと判断された場合、前記セットトップボックスが該セットトップボックスと前記情報再生装置との間を接続状態に切り替えるライン切替ステップと、
前記ライン切替ステップの後、前記セットトップボックスが電話の着信を報知する報知ステップと、
前記報知ステップの後、前記セットトップボックスが通話終了を検出する通話終了検出ステップと、
前記通話終了検出ステップによって通話終了が検出された場合、前記セットトップボックスが前記情報再生装置をオフにするオフ制御ステップ
とを更に具備することを特徴とする請求項１又は請求項２の情報再生装置の動作制御方法。
【請求項５】
情報再生装置をオン・オフさせるリモコン装置からのオン・オフ信号をセットトップボックスが受信する受信ステップと、
前記受信ステップの後、前記セットトップボックスが前記情報再生装置のオン・オフ情報を記憶手段に記憶せしめるオン・オフ情報記憶ステップ
とを更に具備し、
前記情報再生装置のオン・オフを判断するオン・オフ判断ステップは前記オン・オフ情報記憶ステップによって記憶手段に記憶されている情報を読み出すことによって行われる
ことを特徴とする請求項１〜請求項４いずれかの情報再生装置の動作制御方法。
【請求項６】
電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
該セットトップボックスと前記情報再生装置との間の接続を判断する接続判断手段と、
前記情報再生装置の再生音量をダウンさせる音量ダウン制御手段と、
電話の着信を報知する報知手段と、
通話終了を検出する通話終了検出手段と、
前記情報再生装置の再生音量をアップさせる音量アップ制御手段
とを具備することを特徴とする情報再生装置の動作制御システム。
【請求項７】
電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
該セットトップボックスと前記情報再生装置との間の接続を判断する接続判断手段と、
該セットトップボックスと前記情報再生装置との間の接続状態を切り替えるライン切替手段と、
電話の着信を報知する報知手段と、
通話終了を検出する通話終了検出手段
とを具備することを特徴とする情報再生装置の動作制御システム。
【請求項８】
電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
前記情報再生装置をオンにするオン制御手段と、
該セットトップボックスと前記情報再生装置との間の接続を判断する接続判断手段と、
前記情報再生装置の再生音量をダウンさせる音量ダウン制御手段と、
電話の着信を報知する報知手段と、
通話終了を検出する通話終了検出手段と、
前記情報再生装置をオフにするオフ制御手段
とを具備することを特徴とする情報再生装置の動作制御システム。
【請求項９】
電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
前記情報再生装置をオンにするオン制御手段と、
該セットトップボックスと前記情報再生装置との間の接続を判断する接続判断手段と、
該セットトップボックスと前記情報再生装置との間の接続状態を切り替えるライン切替手段と、
電話の着信を報知する報知手段と、
通話終了を検出する通話終了検出手段と、
前記情報再生装置をオフにするオフ制御手段
とを具備することを特徴とする情報再生装置の動作制御システム。
【請求項１０】
情報再生装置をオン・オフさせるリモコン装置からのオン・オフ信号を受信する受信手段と、
前記情報再生装置のオン・オフ情報を記憶する記憶手段とを更に具備し、
前記情報再生装置のオン・オフを判断するオン・オフ判断手段は前記記憶手段に記憶されているオン・オフ情報を読み出すことによって実行されるよう構成されてなる
ことを特徴とする請求項６〜請求項９いずれかの情報再生装置の動作制御システム。
【発明の詳細な説明】
【技術分野】
【０００１】
本発明は、電話の着信および通話終了を検出してセットトップボックスがテレビ受像機などの情報再生装置の動作を制御する技術に関する。特に、例えばセットトップボックスに電話の着信が有って着信音が鳴っていても、ＶＯＤ視聴時にはテレビ音量が大きくて気付き難いのであるが、これを効果的に気付かせたり、或いはテレビ電話の場合において、テレビ受像機の電源がオフとなっている場合には、本来、通話できないのであるが、これを自動的にテレビ通話可能ならしめる技術に関する。
【背景技術】
【０００２】
テレビ電話機には、その通信回線が公衆電話回線網に接続されるものと、ＩＰ網に接続されるものとが有り、どちらのテレビ電話機にも、通常の電話機に小さい画面のディスプレイ（モニタ）を一体化したタイプと、ディスプレイとして通常のテレビ受像機などを使用するタイプとが有る。ところで、ブロードバンドネットワークが普及し、又、家庭のテレビ受像機は大画面化およびフラット化が進んでいる。この為、今後のライフスタイルとして、家庭のリビングルームに入った大型フラットテレビ受像機を使用してテレビ電話を行うことが検討されている。つまり、上記の二つのタイプの中、ディスプレイとしてテレビ受像機などを使用するタイプのテレビ電話機が注目されつつある。ところが、ディスプレイとしてテレビ受像機を使用するタイプのテレビ電話機の場合、テレビ電話機本体は、一般のＶＴＲやＤＶＤプレイヤ等と同様、テレビ受像機の外部映像入力端子に接続するという位置付けで設計されていて、テレビ電話機本体とテレビ受像機との間に、それ以上の動作の連携は考えられていない。この為、次のような問題が有る。例えば、テレビ受像機により番組を見ている最中に着信があっても、画面には、その着信について何も表示されない。この為、通常の音声電話と同様、ユーザは呼び出し音でしか着信を知ることが出来ず、折角のテレビ電話なのに画面が有効に使われていない。又、大きな音量で番組を見ている場合には、着信音に気付き難い。又、ユーザが受話器をオフフックして着信に応じても、テレビ受像機にはそれまでユーザが見ていた番組が映っている。従って、ユーザがテレビ受像機の入力切り換えスイッチを明示的に切り換えないと、テレビ電話の画面に切り換わらない。又、テレビ受像機の電源がオフ（スタンバイ状態を含む。以下同様）の時に着信が有り、これにユーザが応じる時も、ユーザがテレビ受像機の電源を明示的にオンにし、更にテレビ受像機の入力切り換えを行わないと、テレビ電話の画面には切り換わらない。又、通話を終了して受話器をオンフックする時も、ユーザが明示的に再度入力切り換えを行なわないと、テレビ電話の画面が元のテレビ番組の画面に復帰しない。又、テレビ受像機の電源もオフにならない。
【０００３】
このようなことから、相手から映像信号が送られてきたとき、その映像信号を受信し、この受信した映像信号をディスプレイに出力して画像として表示させる通信装置であって、上記相手から呼び出し信号が送信されてきたとき、その呼び出し信号を検出する検出回路と、上記ディスプレイを制御するための制御信号を形成する形成回路とを有し、上記検出回路が上記呼び出し信号を検出したとき、上記制御信号を上記形成回路により形成して上記ディスプレイに出力するとともに、このときの上記制御信号が、上記ディスプレイの電源がオフ（スタンバイ状態を含む）のときにはオンに切り換え、その後、上記ディスプレイの入力を、この通信装置から出力される映像信号に切り換える信号であるようにした通信装置が提案（特開２００４−８０２８９号公報）されている。そして、この特開２００４−８０２８９号公報の段落番号［００３４］には、「切り換えは、テレビ電話機本体からテレビ受像機に対して制御信号を出力し、テレビ受像機の状態を切り換えることである。すなわち、テレビ受像機の電源がオフであれば、まず、電源オンを指示し、その後、テレビ電話機本体からの映像信号への入力切り換えを指示する。これによりテレビ受像機にはテレビ電話の画面が表示される。」旨が開示されている。
【０００４】
又、電話機とパーソナルコンピュータ（ＰＣ）とを統合する試みが数多く行われて来た。例えば、Ｍｉｃｒｏｓｏｆｔ
Ｗｉｎｄｏｗｓ（登録商標）９５に搭載されたＭｉｃｒｏｓｏｆｔ（登録商標）Ｐｈｏｎｅが有る。Ｍｉｃｒｏｓｏｆｔ（登録商標）Ｐｈｏｎｅは、ユーザがコンピュータをスピーカフォンとして使用することを可能にするソフトウェアのみによるスピーカフォンおよび留守番電話である。しかしながら、Ｍｉｃｒｏｓｆｔ（登録商標）Ｐｈｏｎｅは、コンピュータの電源を常に入れておくことが必要であり、又、追加的なハードウェアを必要とした。更に、Ｍｉｃｒｏｓｆｔ（登録商標）Ｐｈｏｎｅは機能が制限されている。他の例として、ＩＢＭ（登録商標）Ｒｅａｌｐｈｏｎｅが有る。ＩＢＭ（登録商標）Ｒｅａｌｐｈｏｎｅは、標準的な業務用電話機に倣って作られた電話発信プログラムである。Ｒｅａｌｐｈｏｎｅのインタフェースは、ディスプレイ上の業務用電話機の画像である。しかしながら、電話機とコンピュータとの有利な相乗作用が統合されていない。例えば、インタフェースでは、ユーザは、実際の電話機をダイヤルする際のように入力装置（マウスなど）を使用して画面上の電話キーパッドを押し、所望の電話番号をダイヤルすることが必要とされる。しかし、このタイプのインタフェースはユーザにとっては煩瑣であり、手間と時間を要する。
【０００５】
このようなことから、即ち、ユーザがＰＣを使用してシームレスに電話機と対話することを可能にするユーザインタフェースが必要とされ、更に必要とされるユーザインタフェースはユーザが２つの機器の分断を全く意識しないようにＰＣと電話機との緊密な結合を提供すべきことから、コンピューティングデバイスの表示装置上に存在する拡張テレフォニーコンピュータユーザインタフェースであって、前記コンピューティングデバイスとネットワーク通信する電話機を制御および管理するためのプロセスおよび機能を含んだ複数の環境を備え、かつ複数のデータベースにリンクされ、前記ユーザインタフェースは電話イベントに対してインテリジェントに反応することを特徴とする拡張テレフォニーコンピュータユーザインタフェースが提案（特開２００４−３５０２９１号公報）されている。そして、この特開２００４−３５０２９１号公報の段落番号［００３２］には「ＥＴユーザインタフェースとしてセットトップボックス」が挙げられており、又、段落番号［０１１１］には「ＥＴユーザインタフェースは電話機が行っている動作を認識」することが開示されており、又、段落番号［０１１３］には「ＥＴユーザインタフェースが通話の開始を受け取ると、音声を徐々に下げた後に消し、通話が終了すると、音楽の一時停止を解除し、音声の音量を無音から通話前のレベルまで上げる」ことが開示されている。
【特許文献１】特開２００４−８０２８９号公報
【特許文献２】特開２００４−３５０２９１号公報
【発明の開示】
【発明が解決しようとする課題】
【０００６】
しかしながら、上記特許文献のものでは、未だ、十分なものでは無い。すなわち、セットトップボックスのテレビ着信時におけるユーザーフリーが十分には達成されていない。
【０００７】
従って、本発明が解決しようとする課題は、セットトップボックスのテレビ着信時における十分なユーザーフリーを達成することである。
【課題を解決するための手段】
【０００８】
前記の課題は、
電話の着信および通話終了を検出してセットトップボックスが情報再生装置の動作を制御する方法であって、
前記セットトップボックスが電話の着信を検出する着信検出ステップと、
前記セットトップボックスが前記情報再生装置のオン・オフを判断するオン・オフ判断ステップと、
前記セットトップボックスが該セットトップボックスと前記情報再生装置との間の接続を判断する接続判断ステップと、
前記ステップの後、着信が検出され、かつ、前記情報再生装置がオンであって、前記セットトップボックスと前記情報再生装置との間が接続されていると判断された場合、前記セットトップボックスが前記情報再生装置の再生音量をダウンさせる音量ダウン制御ステップと、
前記音量ダウン制御ステップの後、前記セットトップボックスが電話の着信を報知する報知ステップと、
前記報知ステップの後、前記セットトップボックスが通話終了を検出する通話終了検出ステップと、
前記通話終了検出ステップによって通話終了が検出された場合、前記セットトップボックスが前記情報再生装置の再生音量をアップさせる音量アップ制御ステップ
とを具備することを特徴とする情報再生装置の動作制御方法によって解決される。
【０００９】
特に、上記の情報再生装置の動作制御方法であって、
着信が検出され、かつ、情報再生装置がオンであって、セットトップボックスと前記情報再生装置との間が接続されていないと判断された場合、前記セットトップボックスが該セットトップボックスと前記情報再生装置との間を接続状態に切り替えるライン切替ステップと、
前記ライン切替ステップの後、前記セットトップボックスが電話の着信を報知する報知ステップと、
前記報知ステップの後、前記セットトップボックスが通話終了を検出する通話終了検出ステップ
とを更に具備することを特徴とする情報再生装置の動作制御方法によって解決される。
【００１０】
又、上記の情報再生装置の動作制御方法であって、
着信検出ステップによって着信が検出され、かつ、オン・オフ判断ステップにおいて情報再生装置がオフであると判断された場合、セットトップボックスが情報再生装置をオンにするオン制御ステップと、
前記オン制御ステップの後、前記セットトップボックスが該セットトップボックスと前記情報再生装置との間の接続を判断する接続判断ステップと、
前記接続判断ステップにおいて、前記セットトップボックスと前記情報再生装置との間が接続されていると判断された場合、前記セットトップボックスが前記情報再生装置の再生音量をダウンさせる音量ダウン制御ステップと、
前記音量ダウン制御ステップの後、前記セットトップボックスが電話の着信を報知する報知ステップと、
前記報知ステップの後、前記セットトップボックスが通話終了を検出する通話終了検出ステップと、
前記通話終了検出ステップによって通話終了が検出された場合、前記セットトップボックスが前記情報再生装置をオフにするオフ制御ステップ
とを更に具備することを特徴とする情報再生装置の動作制御方法によって解決される。
【００１１】
又、上記の情報再生装置の動作制御方法であって、
着信検出ステップによって着信が検出され、かつ、オン・オフ判断ステップにおいて情報再生装置がオフであると判断された場合、セットトップボックスが情報再生装置をオンにするオン制御ステップと、
前記オン制御ステップの後、前記セットトップボックスが該セットトップボックスと前記情報再生装置との間の接続を判断する接続判断ステップと、
前記接続判断ステップにおいて、前記セットトップボックスと前記情報再生装置との間が接続されていないと判断された場合、前記セットトップボックスが該セットトップボックスと前記情報再生装置との間を接続状態に切り替えるライン切替ステップと、
前記ライン切替ステップの後、前記セットトップボックスが電話の着信を報知する報知ステップと、
前記報知ステップの後、前記セットトップボックスが通話終了を検出する通話終了検出ステップと、
前記通話終了検出ステップによって通話終了が検出された場合、前記セットトップボックスが前記情報再生装置をオフにするオフ制御ステップ
とを更に具備することを特徴とする情報再生装置の動作制御方法によって解決される。
【００１２】
中でも、上記の情報再生装置の動作制御方法であって、
情報再生装置をオン・オフさせるリモコン装置からのオン・オフ信号をセットトップボックスが受信する受信ステップと、
前記受信ステップの後、前記セットトップボックスが前記情報再生装置のオン・オフ情報を記憶手段に記憶せしめるオン・オフ情報記憶ステップ
とを更に具備し、
前記情報再生装置のオン・オフを判断するオン・オフ判断ステップは前記オン・オフ情報記憶ステップによって記憶手段に記憶されている情報を読み出すことによって行われる
ことを特徴とする情報再生装置の動作制御方法によって解決される。
【００１３】
又、前記の課題は、
電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
該セットトップボックスと前記情報再生装置との間の接続を判断する接続判断手段と、
前記情報再生装置の再生音量をダウンさせる音量ダウン制御手段と、
電話の着信を報知する報知手段と、
通話終了を検出する通話終了検出手段と、
前記情報再生装置の再生音量をアップさせる音量アップ制御手段
とを具備することを特徴とする情報再生装置の動作制御システムによって解決される。
【００１４】
又、電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
該セットトップボックスと前記情報再生装置との間の接続を判断する接続判断手段と、
該セットトップボックスと前記情報再生装置との間の接続状態を切り替えるライン切替手段と、
電話の着信を報知する報知手段と、
通話終了を検出する通話終了検出手段
とを具備することを特徴とする情報再生装置の動作制御システムによって解決される。
【００１５】
又、電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
前記情報再生装置をオンにするオン制御手段と、
該セットトップボックスと前記情報再生装置との間の接続を判断する接続判断手段と、
前記情報再生装置の再生音量をダウンさせる音量ダウン制御手段と、
電話の着信を報知する報知手段と、
通話終了を検出する通話終了検出手段と、
前記情報再生装置をオフにするオフ制御手段
とを具備することを特徴とする情報再生装置の動作制御システムによって解決される。
【００１６】
又、電話の着信および通話終了を検出してセットトップボックスが情報再生装置の動作を制御するシステムであって、
前記セットトップボックスは、
電話の着信を検出する着信検出手段と、
前記情報再生装置のオン・オフを判断するオン・オフ判断手段と、
前記情報再生装置をオンにするオン制御手段と、
該セットトップボックスと前記情報再生装置との間の接続を判断する接続判断手段と、
該セットトップボックスと前記情報再生装置との間の接続状態を切り替えるライン切替手段と、
電話の着信を報知する報知手段と、
通話終了を検出する通話終了検出手段と、
前記情報再生装置をオフにするオフ制御手段
とを具備することを特徴とする情報再生装置の動作制御システムによって解決される。
【００１７】
特に、上記の情報再生装置の動作制御システムであって、
情報再生装置をオン・オフさせるリモコン装置からのオン・オフ信号を受信する受信手段と、
前記情報再生装置のオン・オフ情報を記憶する記憶手段とを更に具備し、
前記情報再生装置のオン・オフを判断するオン・オフ判断手段は前記記憶手段に記憶されているオン・オフ情報を読み出すことによって実行されるよう構成されてなる
ことを特徴とする情報再生装置の動作制御システムによって解決される。
【発明の効果】
【００１８】
上記のように構成させた本発明によれば、特開２００４−８０２８９号公報や特開２００４−３５０２９１号公報の発明では到底に奏することが出来ないテレビ着信時における十分なユーザーフリーが達成できる。
【００１９】
例えば、セットトップボックスに電話の着信が有って着信音が鳴っていても、通常、ＶＯＤ視聴時にはテレビ音量が大きくて気付き難いのであるが、効果的に気付かせることが出来る。更には、テレビ電話の場合において、テレビ受像機の電源がオフとなっている場合には、本来、通話できないのであるが、これを自動的にテレビ通話可能ならしめる。
【００２０】
特に、セットトップボックスがリモコン装置からのオン・オフ信号を記憶しており、これに基づいて情報再生装置の電源オン・オフを判断し、又、セットトップボックスと情報再生装置との接続ラインが接続・切断を判断して切り替えられるようにしているので、電話着信に際して、ユーザは一々操作せずに済み、そしてＶＯＤ視聴時には再生音量が自動的にダウンし、着信を効果的に知ることが出来、かつ、交信に邪魔が入らず、そして交信終了後には自動的に元の状態に戻るようになっているので、極めて便利である。
【発明を実施するための最良の形態】
【００２１】
本発明になる情報再生装置の動作制御システムは、電話の着信および通話終了を検出してセットトップボックスが情報再生装置の動作を制御するシステムである。そして、セットトップボックスは、電話の着信を検出する着信検出手段を有する。又、情報再生装置のオン・オフを判断するオン・オフ判断手段を有する。又、セットトップボックスと情報再生装置との間の接続を判断する接続判断手段を有する。又、情報再生装置の再生音量をダウンさせる音量ダウン制御手段を有する。又、電話の着信を報知する報知手段を有する。又、通話終了を検出する通話終了検出手段を有する。又、情報再生装置の再生音量をアップさせる音量アップ制御手段を有する。又、セットトップボックスと情報再生装置との間の接続状態を切り替えるライン切替手段を有する。又、情報再生装置をオンにするオン制御手段を有する。又、情報再生装置をオフにするオフ制御手段を有する。又、情報再生装置をオン・オフさせるリモコン装置からのオン・オフ信号を受信する受信手段を有する。又、情報再生装置のオン・オフ情報を記憶する記憶手段を有する。そして、前記オン・オフ判断手段は記憶手段に記憶されているオン・オフ情報を読み出すことによって実行されるよう構成されている。
【００２２】
上記のように構成させた本発明になる情報再生装置の動作制御システムは、次のように動作する。すなわち、本発明になる情報再生装置の動作制御方法は、電話の着信および通話終了を検出してセットトップボックスが情報再生装置の動作を制御する方法である。そして、セットトップボックスが電話の着信を検出する着信検出ステップを有する。又、セットトップボックスが情報再生装置のオン・オフを判断するオン・オフ判断ステップを有する。又、セットトップボックスがセットトップボックスと情報再生装置との間の接続を判断する接続判断ステップを有する。又、上記ステップの後、着信が検出され、かつ、情報再生装置がオンであって、セットトップボックスと情報再生装置との間が接続されていると判断された場合、セットトップボックスが情報再生装置の再生音量をダウンさせる音量ダウン制御ステップを有する。この音量ダウン制御ステップの後、セットトップボックスが電話の着信を報知する報知ステップを有する。この報知ステップの後、セットトップボックスが通話終了を検出する通話終了検出ステップを有する。この通話終了検出ステップによって通話終了が検出された場合、セットトップボックスが情報再生装置の再生音量をアップさせる音量アップ制御ステップを有する。又、上記着信検出ステップによって着信が検出され、かつ、情報再生装置がオンであって、セットトップボックスと情報再生装置との間が接続されていないと判断された場合、セットトップボックスがセットトップボックスと情報再生装置との間を接続状態に切り替えるライン切替ステップを有する。このライン切替ステップの後、セットトップボックスが電話の着信を報知する報知ステップを有する。この報知ステップの後、セットトップボックスが通話終了を検出する通話終了検出ステップを有する。又、上記着信検出ステップによって着信が検出され、かつ、オン・オフ判断ステップにおいて情報再生装置がオフであると判断された場合、セットトップボックスが情報再生装置をオンにするオン制御ステップを有する。このオン制御ステップの後、セットトップボックスがセットトップボックスと情報再生装置との間の接続を判断する接続判断ステップを有する。この接続判断ステップにおいて、セットトップボックスと情報再生装置との間が接続されていると判断された場合、セットトップボックスが情報再生装置の再生音量をダウンさせる音量ダウン制御ステップを有する。この音量ダウン制御ステップの後、セットトップボックスが電話の着信を報知する報知ステップを有する。この報知ステップの後、セットトップボックスが通話終了を検出する通話終了検出ステップを有する。この通話終了検出ステップによって通話終了が検出された場合、セットトップボックスが情報再生装置をオフにするオフ制御ステップを有する。又、上記着信検出ステップによって着信が検出され、かつ、オン・オフ判断ステップにおいて情報再生装置がオフであると判断された場合、セットトップボックスが情報再生装置をオンにするオン制御ステップを有する。このオン制御ステップの後、セットトップボックスがセットトップボックスと情報再生装置との間の接続を判断する接続判断ステップを有する。この接続判断ステップにおいて、セットトップボックスと情報再生装置との間が接続されていないと判断された場合、セットトップボックスがセットトップボックスと情報再生装置との間を接続状態に切り替えるライン切替ステップを有する。このライン切替ステップの後、セットトップボックスが電話の着信を報知する報知ステップを有する。この報知ステップの後、セットトップボックスが通話終了を検出する通話終了検出ステップを有する。この通話終了検出ステップによって通話終了が検出された場合、セットトップボックスが情報再生装置をオフにするオフ制御ステップを有する。更に、情報再生装置をオン・オフさせるリモコン装置からのオン・オフ信号をセットトップボックスが受信する受信ステップと、この受信ステップの後、セットトップボックスが情報再生装置のオン・オフ情報を記憶手段に記憶せしめるオン・オフ情報記憶ステップとを更に具備し、上記オン・オフ判断ステップはオン・オフ情報記憶ステップによって記憶手段に記憶されている情報を読み出すことによって行われるようになっている。
【００２３】
以下、更に詳しく説明する。
【００２４】
図１は本発明の情報再生装置の動作制御システムの一実施形態を示す概略図である。図２〜図６は本発明の情報再生装置の動作制御方法の一実施形態を示すフローチャートである
各図中、Ａはテレビ受像機、Ｂはテレビ受像機Ａの電源のオン・オフ、その他の動作を行なわしめる為のリモコン装置である。
【００２５】
Ｃは、セットトップボックス（電話の着信および通話終了を検出してテレビ受像機Ａの動作を制御する装置）である。このセットトップボックスＣは、一体的または別体的（本実施形態では別体的）に設けられたリモコンインターフェースＤを有する。
【００２６】
リモコンインターフェースＤは、リモコン装置Ｂからのテレビ受像機Ａの電源のオン・オフ信号を受信できるように構成されている。すなわち、テレビ受像機Ａの電源をオン・オフさせるリモコン装置Ｂからのオン・オフ信号を受信する受信手段１を有する。かつ、セットトップボックスＣからの信号をテレビ受像機Ａに向けて出力し、前記信号の内容に沿ってテレビ受像機Ａを動作せしめるよう構成されている。すなわち、テレビ受像機Ａを動作せしめる為の信号を送信する送信手段２を有する。
【００２７】
セットトップボックスＣは、テレビ受像機Ａの電源のオン・オフ情報を記憶する記憶手段３を有する。すなわち、リモコンインターフェースＤの受信手段１によって受信したテレビ受像機Ａの電源をオン・オフさせるリモコン装置Ｂからのオン・オフ信号は、書込手段４によって、記憶手段３に書き込まれる。そして、記憶手段３に書き込まれたテレビ受像機Ａの電源オン・オフ情報は読出手段５によって読み出される。従って、読出手段５によって読み出されたテレビ受像機Ａの電源オン・オフ情報によってテレビ受像機Ａの電源がオンかオフかの判断が下される。すなわち、本発明になるテレビ受像機Ａの電源オン・オフを判断するオン・オフ判断手段は、記憶手段３と読出手段５とを備えており、読出手段５が記憶手段３に記憶されているテレビ受像機Ａの電源のオン・オフ情報を読み出すことによって実行（判断）するものである。
【００２８】
セットトップボックスＣは、掛かって来た電話の着信を検出する着信検出手段６を有する。更に、掛かって来た電話の着信を報知する報知手段（スピーカ）７を有する。又、掛かって来た電話の通話終了を検出する通話終了検出手段８を有する。又、セットトップボックスＣとテレビ受像機Ａとの間のラインが繋がっているか切断されているかを判断する接続判断手段９を有する。又、セットトップボックスＣとテレビ受像機Ａとの間の接続ラインを切り替えるライン切替手段１０を有する。又、テレビ受像機Ａの再生音量をダウンさせる音量ダウン制御手段１１を有する。又、テレビ受像機Ａの再生音量をアップさせる音量アップ制御手段１２を有する。又、テレビ受像機Ａの電源をオンにするオン制御手段１３を有する。又、テレビ受像機Ａの電源をオフにするオフ制御手段１４を有する。
【００２９】
次に、上記のように構成させた本発明になる情報再生装置の動作制御について図２〜図６に基づいて説明する。
【００３０】
先ず、図２に沿って説明する。図２は、セットトップボックスＣがテレビ受像機Ａの電源がＯＮかＯＦＦかを検出（判断）する動作を説明するフローチャートである。
【００３１】
ユーザがリモコン装置Ｂを操作したとする。そうすると、例えばリモコン装置Ｂからテレビ受像機Ａの電源のＯＮ（又は、ＯＦＦ）信号（赤外線電源ＯＮ／ＯＦＦ信号）が発信させられる。これに応じて、テレビ受像機Ａの電源はＯＮ（又は、ＯＦＦ）になる。このリモコン装置Ｂから発信させられたＯＮ（又は、ＯＦＦ）信号（赤外線電源ＯＮ／ＯＦＦ信号）はセットトップボックスＣ（リモコンインターフェースＤ）の受信手段１によっても受信される。すなわち、テレビ受像機Ａの電源はＯＮ（又は、ＯＦＦ）信号であるリモコン信号が検出される（ステップＡ１）。
【００３２】
ステップＡ１の後、すなわち、赤外線電源ＯＮ／ＯＦＦ信号を受けて、セットトップボックスＣは、自身の記憶手段３に記憶されている現在のテレビ起動フラグの状態を読み出す（ステップＡ２）。
【００３３】
このステップＡ２によって、即ち、読出手段５によって読み出されたテレビ起動フラグがＯＦＦ（即ち、テレビ電源ＯＦＦ状態）の場合には、書込手段４によって、テレビ起動フラグをＯＮ（即ち、テレビ電源ＯＮ状態）に変更して記憶手段３に書込・保存する（ステップＡ３）。逆に、テレビ起動フラグがＯＮ（即ち、テレビ電源ＯＮ状態）の場合には、書込手段４によって、テレビ起動フラグをＯＦＦ（即ち、テレビ電源ＯＦＦ状態）に変更して記憶手段３に書込・保存する（ステップＡ４）。これによって、テレビ起動フラグの設定が終了する。
【００３４】
すなわち、リモコン装置Ｂからテレビ受像機Ａの電源のＯＮ（又は、ＯＦＦ）信号（赤外線電源ＯＮ／ＯＦＦ信号）を受信する度に、記憶手段３に書込・保存されているテレビ起動フラグの情報（テレビ電源ＯＮ（ＯＦＦ）状態）が逆に変更・書込・保存される。
【００３５】
図３〜図５は、図２で述べたテレビ起動フラグの情報が書込・保存されていることを前提とし、本発明のセットトップボックスＣが電話着信時にテレビ受像機Ａの動作を制御するフローチャートである。
【００３６】
図３のフローチャートは、電話着信時に、テレビ受像機Ａは電源ＯＮで、ＶＯＤを視聴している場合におけるフローチャートである。
【００３７】
先ず、セットトップボックスＣの着信検出手段６が電話の着信を検出する（ステップＢ１）。
【００３８】
次に、読出手段５が記憶手段３に書込・保存されているテレビ起動フラグの情報を読み出し、テレビ起動フラグがＯＮかＯＦＦかを判定する（ステップＢ２）。
【００３９】
テレビ起動フラグがＯＮ（ＹＥＳ）の場合は、接続判断手段９がセットトップボックスＣとテレビ受像機Ａとの間のラインが繋がっているか切断されているかを判断する。すなわち、ＶＯＤを視聴しているか否かの判断を行なう（ステップＢ３）。
【００４０】
ここで、ＶＯＤを視聴（ＹＥＳ）の場合には、音量ダウン制御手段１１がテレビ受像機Ａの再生音量ダウン（ミュート）信号（赤外線信号）をリモコンインターフェースＤの送信手段２から出力させ、テレビ受像機Ａの再生音量をダウン（ミュート）させる。（ステップＢ４）。
【００４１】
ステップＢ４の後、電話の着信が有ることを、使用者に知らせる為、報知手段（スピーカ）７が警報音を出力する（ステップＢ５）。
【００４２】
ステップＢ５の後、通話終了検出手段８が、掛かっている電話の通話が継続しているか終了したかを検出する（ステップＢ６）。
【００４３】
通話終了が検出されると、音量アップ制御手段１２がテレビ受像機Ａの再生音量アップ（ミュート解除）信号（赤外線信号）をリモコンインターフェースＤの送信手段２から出力させ、テレビ受像機Ａの再生音量をアップ（ミュート解除）し、元の状態に復帰させる。（ステップＢ７）。すなわち、上記一連のステップを経て終了する（元の状態に戻る）。
【００４４】
図４のフローチャートは、電話着信時に、テレビ受像機Ａは電源ＯＮであるが、ＶＯＤを視聴していない場合（セットトップボックスＣとテレビ受像機Ａとの間の接続ラインが繋がっていない場合）のフローチャートである。
【００４５】
従って、図４のフローは、図３のステップＢ２までは同じで、ステップＢ３において、接続判断手段９がセットトップボックスＣとテレビ受像機Ａとの間のラインが切断と判断、即ち、ＶＯＤを視聴していないと判断された場合（ＮＯの場合）である。
【００４６】
ＶＯＤが視聴されていないと判断された場合、ライン切替手段１０は、セットトップボックスＣとテレビ受像機Ａとの間の接続ラインを切り替えさせる。すなわち、ライン切替手段１０は、セットトップボックスＣとテレビ受像機Ａとの間を接続せしめる接続信号（赤外線信号）をリモコンインターフェースＤの送信手段２から出力させ、セットトップボックスＣとテレビ受像機Ａとの間のラインを繋ぐ（入力ラインの切替：ステップＣ１）。
【００４７】
ステップＣ１の後、電話の着信が有ることを、使用者に知らせる為、報知手段（スピーカ）７が警報音を出力する（ステップＣ２）。
【００４８】
ステップＣ２の後、通話終了検出手段８が、掛かっている電話の通話が継続しているか終了したかを検出する（ステップＣ３）。
【００４９】
通話終了が検出されると、ライン切替手段１０は、セットトップボックスＣとテレビ受像機Ａとの間の接続ラインを切り替えさせる。すなわち、ライン切替手段１０は、セットトップボックスＣとテレビ受像機Ａとの間の接続を切断に切り替える切断信号（テレビ受像機Ａとの接続ラインを他の装置との接続に切替信号：赤外線信号）をリモコンインターフェースＤの送信手段２から出力させ、セットトップボックスＣとテレビ受像機Ａとの間のラインを切断する（入力ラインの切替：ステップＣ４）。すなわち、上記一連のステップを経て終了する（元の状態に戻る）。
【００５０】
図５のフローチャートは、電話着信時に、テレビ受像機Ａは電源ＯＦＦであるが、セットトップボックスＣとテレビ受像機Ａとの間のラインが繋がっている場合のフローチャートである。
【００５１】
従って、図５のフローは、図３のステップＢ２において、テレビ起動フラグがＯＦＦと判定された場合である。
【００５２】
テレビ起動フラグがＯＦＦと判定された場合、先ず、オン制御手段１３は、テレビ受像機Ａの電源をオンにさせる為の信号（赤外線信号）をリモコンインターフェースＤの送信手段２から出力させ、テレビ受像機Ａの電源を入れる（ステップＤ１）。
【００５３】
次に、接続判断手段９がセットトップボックスＣとテレビ受像機Ａとの間のラインが繋がっているか切断されているかを判断する。すなわち、ＶＯＤを視聴しているか否かの判断を行なう（ステップＤ２）
ここで、ＶＯＤを視聴（ＹＥＳ）の場合には、音量ダウン制御手段１１がテレビ受像機Ａの再生音量ダウン（ミュート）信号をリモコンインターフェースＤの送信手段２から出力させ、テレビ受像機Ａの再生音量をダウン（ミュート）させる。（ステップＤ３）。
【００５４】
ステップＤ３の後、電話の着信が有ることを、使用者に知らせる為、報知手段（スピーカ）７が警報音を出力する（ステップＤ４）。
【００５５】
ステップＤ４の後、通話終了検出手段８が、掛かっている電話の通話が継続しているか終了したかを検出する（ステップＤ５）。
【００５６】
通話終了が検出されると、オフ制御手段１４は、テレビ受像機Ａの電源を切る為の信号をリモコンインターフェースＤの送信手段２から出力させ、テレビ受像機Ａの電源を切る（ステップＤ６）。すなわち、上記一連のステップを経て終了する（元の状態に戻る）。
【００５７】
図６のフローチャートは、電話着信時に、テレビ受像機Ａは電源ＯＦＦであり、セットトップボックスＣとテレビ受像機Ａとの間のラインが繋がっていない場合のフローチャートである。
【００５８】
従って、図６のフローは、図５のステップＤ２において、ＶＯＤを視聴していない（セットトップボックスＣとテレビ受像機Ａとの間のラインが繋がっていない）と判定された場合である。
【００５９】
ＶＯＤを視聴していないと判定された場合、先ず、ライン切替手段１０は、セットトップボックスＣとテレビ受像機Ａとの間の接続ラインを切り替えさせる。すなわち、ライン切替手段１０は、セットトップボックスＣとテレビ受像機Ａとの間を接続せしめる接続信号（赤外線信号）をリモコンインターフェースＤの送信手段２から出力させ、セットトップボックスＣとテレビ受像機Ａとの間のラインを繋ぐ（入力ラインの切替：ステップＥ１）。
【００６０】
ステップＥ１の後、電話の着信が有ることを、使用者に知らせる為、報知手段（スピーカ）７が警報音を出力する（ステップＥ２）。
【００６１】
ステップＥ２の後、通話終了検出手段８が、掛かっている電話の通話が継続しているか終了したかを検出する（ステップＥ３）。
【００６２】
通話終了が検出されると、オフ制御手段１４は、テレビ受像機Ａの電源を切る為の信号をリモコンインターフェースＤの送信手段２から出力させ、テレビ受像機Ａの電源を切る（ステップＥ４）。すなわち、上記一連のステップを経て終了する（元の状態に戻る）。
【００６３】
尚、上記実施形態にあっては、授受される信号は赤外線信号の場合で説明したが、Ｂｌｕｅｔｏｏｔｈや無線ＬＡＮを用いても良い。そして、このような場合には、指向性がより高いので、誤動作率がより低くなる。
【図面の簡単な説明】
【００６４】
【図１】本発明の情報再生装置の動作制御システムの一実施形態を示す概略図
【図２】本発明の情報再生装置の動作制御方法の一実施形態のフローチャート
【図３】本発明の情報再生装置の動作制御方法の一実施形態のフローチャート
【図４】本発明の情報再生装置の動作制御方法の一実施形態のフローチャート
【図５】本発明の情報再生装置の動作制御方法の一実施形態のフローチャート
【図６】本発明の情報再生装置の動作制御方法の一実施形態のフローチャート
【符号の説明】
【００６５】
Ａ      テレビ受像機
Ｂ      リモコン装置
Ｃ      セットトップボックス
Ｄ      リモコンインターフェース
１      受信手段
２      送信手段
３      記憶手段
４      書込手段
５      読出手段
６      着信検出手段
７      報知手段
８      通話終了検出手段
９      接続判断手段
１０    ライン切替手段
１１    音量ダウン制御手段
１２    音量アップ制御手段
１３    オン制御手段
１４    オフ制御手段
特許出願人  ＮＥＣアクセステクニカ株式会社
代  理  人  宇      高          克      己
【図１】
2008098964.tif 000003
【図２】
2008098964.tif 000004
【図３】
2008098964.tif 000005
【図４】
2008098964.tif 000006
【図５】
2008098964.tif 000007
【図６】
2008098964.tif 000008